(57)【要約】      （修正有）【課題】電解反応の効率が向上する水素水生成器の電極改良構造を提供する。【解決手段】水素水生成器の電極改良構造１０は、正電荷を帯びる正極素子１１及び負電荷を帯びる負極素子１２を含む。正極素子１１及び負極素子１２は金属材料で製造され、且つ正極素子１１及び負極素子１２は更に第一導電部１３及び第二導電部１４にそれぞれ電気的に接続される。また、正極素子１１及び負極素子１２は連続的に湾曲すると共に相互に交錯され、互いに一定の距離をあけて配列されて設置されることにより、水分子が正極素子１１及び負極素子１２に接触される表面積が増加され、電解反応の効率が向上する。【選択図】図１
0003207066.tif 000002
【実用新案登録請求の範囲】
【請求項１】
正電荷を帯びる正極素子及び負電荷を帯びる負極素子を含む水素水生成器の電極改良構造であって、
前記正極素子及び前記負極素子は金属材料で製造され、且つ前記正極素子及び前記負極素子は更に第一導電部及び第二導電部にそれぞれ電気的に接続され、
前記正極素子及び前記負極素子は連続的に湾曲すると共に相互に交錯し、互いに一定の距離をあけて配列されて設置されることを特徴とする、
水素水生成器の電極改良構造。
【請求項２】
前記正極素子及び前記負極素子の両側に設置される複数の固定部材を更に備え、これら前記複数の固定部材が前記正極素子及び前記負極素子に係合されることにより、前記正極素子及び前記負極素子が固定されることを特徴とする、請求項１に記載の水素水生成器の電極改良構造。
【請求項３】
前記固定部材には少なくとも１つの嵌合溝が更に設けられることを特徴とする、請求項２に記載の水素水生成器の電極改良構造。
【請求項４】
前記正極素子及び前記負極素子の製造に用いられる金属材料は全てチタンであることを特徴とする、請求項１または２に記載の水素水生成器の電極改良構造。
【請求項５】
前記正極素子及び前記負極素子の製造に用いられる金属材料は全てステンレスであることを特徴とする、請求項１または２に記載の水素水生成器の電極改良構造。
【請求項６】
前記正極素子及び前記負極素子は異なる金属材料で製造されることを特徴とする、請求項１または２に記載の水素水生成器の電極改良構造。
【請求項７】
前記正極素子の製造に用いられる金属材料はチタンであり、前記負極素子の製造に用いられる金属材料はステンレスであることを特徴とする、請求項６に記載の水素水生成器の電極改良構造。
【請求項８】
前記正極素子の製造に用いられる金属材料はステンレスであり、前記負極素子の製造に用いられる金属材料はチタンであることを特徴とする、請求項６に記載の水素水生成器の電極改良構造。
【請求項９】
複数の開口部を有するハウジングに更に内設され、且つ前記ハウジングは水分子がこれら前記開口部を流通させて前記正極素子及び前記負極素子に接触されて電解されることを特徴とする、請求項１または２に記載の水素水生成器の電極改良構造。
【考案の詳細な説明】
【技術分野】
【０００１】
本考案は、連続的に湾曲が成形され、且つ相互に交錯して配列されて設置される電極改良構造に関する。
【背景技術】
【０００２】
現在、飲用水として、単純に喉を潤すためのきれいな水だけでなく、様々な機能を持った機能水が求められている。水素水（Ｈｙｄｒｏｇｅｎ  Ｗａｔｅｒ）はまさにその需要にかない、且つ水素水は大量の水素を含んだ水であり、富水素水とも呼ばれる。
【０００３】
近年、様々な医学及び保健分野で水素の有効性が認められ、運用されている。人間が少量の水素を吸収すると、選択的に抗酸化作用が発生し、毒性を有する遊離基が中和され、糖尿病、器官の損傷、脳梗塞、放射線治療による損傷、老年性痴呆症、卒中、高血圧、癌等の様々な疾病の治療に用いられる。このため、市場にある水素水生成器では、水の電解反応により水中で水素を生成し、水素水を形成させた後、飲用されて人体に吸収される。
【考案の概要】
【考案が解決しようとする課題】
【０００４】
しかしながら、前述した従来の水素水生成器は、棒状の電極により電解が行われるため、水素の生成効率がやや低かった。そこで、本考案者は上記の欠点が改善可能と考え、鋭意検討を重ねた結果、合理的設計で上記の課題を効果的に改善する本考案の提案に到った。
【０００５】
本考案は、このような従来の問題に鑑みてなされたものである。本考案の主な目的は、上述の問題を解決するために、複数の電極素子が連続的に湾曲されて成形され、且つ相互に交錯して配列されて設置されることにより、水分子が前記正極素子及び前記負極素子に接触される表面積が増加され、電解反応の効率が向上する、水素水生成器の電極改良構造を提供することにある。
【課題を解決するための手段】
【０００６】
上述した課題を解決し、目的を達成するための本考案に係る水素水生成器の電極改良構造は、正電荷を帯びる正極素子及び負電荷を帯びる負極素子を含む。前記正極素子及び前記負極素子は金属材料で製造され、且つ前記正極素子及び前記負極素子は更に第一導電部及び第二導電部にそれぞれ電気的に接続され、また、前記正極素子及び前記負極素子は連続的に湾曲すると共に相互に交錯し、互いに一定の距離をあけて配列されて設置される。
上述の水素水生成器の電極改良構造は、前記正極素子及び前記負極素子の両側に設置される複数の固定部材を更に備え、これら前記複数の固定部材が前記正極素子及び前記負極素子に係合されることにより、前記正極素子及び前記負極素子が固定される。
【０００７】
好ましい実施形態に係る水素水生成器の電極改良構造は、これら前記固定部材には少なくとも１つの嵌合溝が更に設けられる。
【０００８】
好ましい実施形態に係る水素水生成器の電極改良構造は、前記正極素子及び前記負極素子の製造に用いられる金属材料は全てチタンである。
【０００９】
好ましい実施形態に係る水素水生成器の電極改良構造は、前記正極素子及び前記負極素子の製造に用いられる金属材料は全てステンレスである。
【００１０】
好ましい実施形態に係る水素水生成器の電極改良構造は、前記正極素子及び前記負極素子は異なる金属材料で製造される。
【００１１】
好ましい実施形態に係る水素水生成器の電極改良構造は、前記正極素子の製造に用いられる金属材料はチタンであり、前記負極素子の製造に用いられる金属材料はステンレスである。
【００１２】
好ましい実施形態に係る水素水生成器の電極改良構造は、前記正極素子の製造に用いられる金属材料はステンレスであり、前記負極素子の製造に用いられる金属材料はチタンである。
【００１３】
好ましい実施形態に係る水素水生成器の電極改良構造は、複数の開口部を有するハウジングに更に内設され、且つ前記ハウジングは水分子がこれら前記開口部を流通させて前記正極素子及び前記負極素子に接触されて電解される。
【考案の効果】
【００１４】
本考案によれば、複数の電極素子が連続的に湾曲されて成形され、且つ相互に交錯して配列されて設置され、水分子が前記正極素子及び前記負極素子に接触される表面積が増加され、電解反応の効率が向上する。
【図面の簡単な説明】
【００１５】
【図１】本考案の好ましい実施形態に係る水素水生成器の電極改良構造を示す外観斜視図である。
【図２】本考案の好ましい実施形態に係る水素水生成器の電極改良構造を示す展開図である。
【図３】本考案の水素水生成器の電極改良構造を他の角度から見た図である。
【図４】本考案の水素水生成器の電極改良構造を示す実施形態図である。
【考案を実施するための形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１７】
以下、本考案の実施形態を図１〜４に基づいて説明する。本考案の水素水生成器の電極改良構造１０は、正電荷を帯びる正極素子１１及び負電荷を帯びる負極素子１２を備える。
前記正極素子１１及び前記負極素子１２は金属材料で製造され、且つ前記正極素子１１及び前記負極素子１２は更に第一導電部１３及び第二導電部１４にそれぞれ電気的に接続される。また、前記正極素子１１及び前記負極素子１２は連続的に湾曲されると共に相互に交錯し、互いに一定の距離Ｄをあけて配列されて設置されることにより、水分子が前記正極素子１１及び前記負極素子１２に接触される表面積が増加され、電解反応の効率が向上する（図１乃至図３参照）。
【００１８】
このほか、前記正極素子１１及び前記負極素子１２が相互に接触されるのを回避させるため、前記正極素子１１及び前記負極素子１２の両側には複数の固定部材１５が更に設置され、前記正極素子１１及び前記負極素子１２がこれら前記固定部材１５の嵌合溝１５１内に係合されることにより、前記正極素子１１及び前記負極素子１２が一定の距離Ｄをおいて固定される。
また、これら前記固定部材１５は更に少なくとも１つのケーブルタイ１６により結ばれて固定され、これら前記固定部材１５と前記正極素子１１及び前記負極素子１２との結合効果が強化され、容易には緩んで分離しなくなる。
【００１９】
前記正極素子１１及び前記負極素子１２は全て同じ金属材料で製造され、例えば、チタンまたはステンレス等の金属材料で製造される。或いは、前記正極素子１１及び前記負極素子１２は異なる金属材料で製造され、前記正極素子１１の製造に用いられる金属材料はチタンであり、前記負極素子１２の製造に用いられる金属材料はステンレスである。もしくは、前記正極素子１１の製造に用いられる金属材料はステンレスであり、前記負極素子１２の製造に用いられる金属材料はチタンである。
【００２０】
最後に、図４は本考案の水素水生成器の電極改良構造を示す実施形態図である。本考案に係る水素水生成器の電極改良構造１０はハウジング２０に内設され、且つ前記ハウジング２０は複数の開口部２１を有すると共にコードにより水素水生成器本体（図示せず）に接続される。
前記ハウジング２０は水の入った容器の中に入れられ、例えばバスタブに入れられ、前記バスタブ中の水がこれら前記開口部２１を流通させて前記ハウジング２０中に進入し、前記正極素子１１及び前記負極素子１２に接触されて電解されることで水素及び酸素が形成される。よって、使用者は風呂につかると、同時に大量の水素及び酸素を吸収できる。
【００２１】
本考案の水素水生成器の電極改良構造は、複数の電極素子が連続的に湾曲されて成形され、且つ相互に交錯して配列されて設置されることで、水分子が前記正極素子及び前記負極素子に接触される表面積が増加され、電解反応の効率が向上する。
【００２２】
本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２３】
１０    水素水生成器の電極改良構造
１１    正極素子
１２    負極素子
１３    第一導電部
１４    第二導電部
１５    固定部材
１５１  嵌合溝
１６    ケーブルタイ
２０    ハウジング
２１    開口部
Ｄ      距離
【図１】
0003207066.tif 000003
【図２】
0003207066.tif 000004
【図３】
0003207066.tif 000005
【図４】
0003207066.tif 000006